(57)【要約】      （修正有）【課題】  １画素を構成する空間内において、表示を行なうために移動させる物体をシリコーンゴムなどの弾性体とすることにより、比較的容易に製造することができる表示装置を提供する。【解決手段】  １画素を構成する空間９内には移動電極１０およびその上面に設けられたシリコーンゴムなどからなる弾性層１１が表裏方向に移動可能に設けられている。そして、裏面側電極板６と移動電極１０間に電圧が印加されると、クーロン力による引力により、移動電極１０が弾性層１１と共に裏面側に向かって移動し、移動電極１０の下面が裏面側（透明）板２上の絶縁膜７の上面に当接する状態となり、表面側透明板１の凸凹面（作用面）３での散乱による白色表示状態となる。一方、表面側電極板４と移動電極１０間に電圧が印加されると、凸凹面（作用面）３では散乱は起こらず、弾性層１１の色による有色表示状態となる。【選択図】  図１
2006317667.tif 000002
【特許請求の範囲】
【請求項１】
表面側基板と裏面側基板とその間に設けられた側壁とによって囲まれた１画素を構成する空間と、
前記空間内に表裏方向に移動可能に設けられた移動電極と、
前記移動電極の前記表面側基板と対向する側の面に設けられた弾性変形可能な弾性層と、
前記移動電極を前記弾性層と共に表裏方向に移動させる移動電極移動手段と、
前記表面側基板の内面に設けられ、前記弾性層が押し付けられていないとき、光を散乱反射させ、前記弾性層が押し付けられているとき、光を透過させる作用面と、
を備えていることを特徴とする表示装置。
【請求項２】
請求項１に記載の表示装置において、前記弾性層はシリコーンゴムを含むことを特徴とする表示装置。
【請求項３】
請求項１に記載の表示装置において、前記弾性層は有色である、または、前記弾性層は透明であり、該弾性層と前記移動電極との間に有色層が設けられていることを特徴とする表示装置。
【請求項４】
請求項１に記載の表示装置において、前記移動電極移動手段は、
前記移動電極と、
前記表面側基板に設けられた表面側電極および前記裏面側基板に設けられた裏面側電極のうちの少なくともいずれか一方と、
に電圧を印加する電圧印加手段
を有することを特徴とする表示装置。
【請求項５】
請求項１に記載の表示装置において、前記移動電極移動手段は、
平衡状態で前記弾性層を前記表面側基板の前記作用面から離れた位置に保持する、または、平衡状態で前記弾性層を前記表面側基板の前記作用面に押し付ける位置に保持する弾性部材
を有することを特徴とする表示装置。
【請求項６】
請求項１に記載の表示装置において、
前記弾性層が前記表面側基板の前記作用面から離れて位置するとき、この状態を維持する、または、前記弾性層が前記表面側基板の前記作用面に押し付けられるように位置するとき、この状態を維持する弾性層位置維持手段
を有することを特徴とする表示装置。
【請求項７】
請求項６に記載の表示装置において、前記弾性層位置維持手段は、前記弾性層および前記移動電極を支持する支持部材の周囲面側と前記側壁の内面との間の摺動部材を有することを特徴とする表示装置。
【請求項８】
請求項６に記載の表示装置において、前記弾性層位置維持手段は、
前記側壁の表面側および裏面側に設けられた表面側磁石および裏面側磁石と、前記弾性層および前記移動電極を支持する支持部材の周囲面側に設けられた磁性部材とを有する、または、
前記側壁の表面側および裏面側に設けられた表面側磁性部材および裏面側磁性部材と、前記弾性層および前記移動電極を支持する支持部材の周囲面側に設けられた磁石とを有する、
ことを特徴とする表示装置。
【請求項９】
請求項６に記載の表示装置において、前記弾性層位置維持手段は、
前記側壁の内面の表面側および裏面側に設けられた表面側親水膜および裏面側親水膜と、前記弾性層および前記移動電極を支持する支持部材の周囲面側に設けられた移動体親水膜と、前記表面側親水膜および前記裏面側親水膜の各表面に設けられた表面側水膜および裏面側水膜とを有する、または、
前記側壁の内面の表面側および裏面側に設けられた表面側親油膜および裏面側親油膜と、前記弾性層および前記移動電極を支持する支持部材の周囲面側に設けられた移動体親油膜と、前記表面側親油膜および前記裏面側親油膜の各表面に設けられた表面側油膜および裏面側油膜とを有する、
ことを特徴とする表示装置。
【発明の詳細な説明】
【技術分野】
【０００１】
この発明は、１画素を構成する空間内においてシリコーンゴムなどの弾性体を移動させて表示を行なう表示装置に関する。
【背景技術】
【０００２】
１画素を構成する空間内において物体を移動させて表示を行なう従来の表示装置には、１画素を構成する容器内に着色液体（誘電体）および気泡を封入し、容器の一方側の外面に互いに対向して設けられた一対の第１の電極に電圧が印加されると、静電力により、着色液体を容器内の一方側に移動させるとともに、気泡を容器内の他方側に移動させ、容器の他方側の外面に互いに対向して設けられた一対の第２の電極に電圧が印加されると、静電力により、着色液体を容器内の他方側に移動させるとともに、気泡を容器内の一方側に移動させ、容器の一方側のみを視認可能な画素とすることにより、表示を行なうようにしたものがある（例えば、特許文献１参照）。
【０００３】
【特許文献１】特開平８−２５４９６２号公報
【発明の開示】
【発明が解決しようとする課題】
【０００４】
しかしながら、上記従来の表示装置では、容器の一方側の表面側とは反対側を白色で不透明とし、容器内の一方側に気泡があるとき、白色表示とし、容器内の一方側に着色液体があるとき、着色液体の色自体による色表示としているので、１画素に対応する着色液体の量を容器内の片側のみを常に必要十分に満たす量としなければならず、製造が困難であるという問題がある。
【０００５】
そこで、この発明は、１画素を構成する空間内において表示を行なうために移動させる物体を、着色液体ではなく、シリコーンゴムなどの弾性体とすることにより、比較的容易に製造することができる表示装置を提供することを目的とする。
【課題を解決するための手段】
【０００６】
この発明は、上記目的を達成するため、表示装置において、表面側基板と裏面側基板とその間に設けられた側壁とによって囲まれた１画素を構成する空間と、前記空間内に表裏方向に移動可能に設けられた移動電極と、前記移動電極の前記表面側基板と対向する側の面に設けられた弾性変形可能な弾性層と、前記移動電極を前記弾性層と共に表裏方向に移動させる移動電極移動手段と、前記表面側基板の内面に設けられ、前記弾性層が押し付けられていないとき、光を散乱反射させ、前記弾性層が押し付けられているとき、光を透過させる作用面と、を備えていることを特徴とするものである。
【発明の効果】
【０００７】
この発明によれば、表面側基板の作用面に弾性層が押し付けられていないとき、作用面で光を散乱反射させることにより、白色表示を行ない、作用面に弾性層が押し付けられているとき、白色表示以外の色表示を行なうので、１画素を構成する空間内に弾性層を移動電極と共に表裏方向に移動可能に設ければよく、表示を行なうための移動物体として着色液体を用いる場合と比較して、比較的容易に製造することができる。
【発明を実施するための最良の形態】
【０００８】
（第１実施形態）
図１はこの発明の第１実施形態としての表示装置の１画素部分の白色表示状態を示す断面図である。この表示装置は、ガラスや樹脂などの無色透明な材料からなる平面方形状の表面側透明板（基板）１および裏面側（透明）板（基板）２を備えている。表面側透明板１の内面には、サンドブラスト加工やマイクロブラスト加工などにより、細かな凸凹面（作用面）３が形成されている。すなわち、表面側透明板１はすりガラス状となっている。なお、表面側透明板１の側から視認する反射型表示装置の場合、裏面側（透明）板２は必ずしも無色透明である必要はない。
【０００９】
表面側透明板１の外面にはＩＴＯなどの透明導電材料からなる表面側電極板４および酸化シリコンなどからなる絶縁膜（保護膜）５が設けられている。裏面側（透明）板２の内面には銅、アルミニウムなどからなる裏面側電極板６および酸化シリコンなどからなる絶縁膜（保護膜）７が設けられている。
【００１０】
両基板１、２は互いに対向して配置され、その間の周囲には側壁８が設けられている。そして、表面側透明板１の凸凹面（作用面）３、裏面側（透明）板２上の絶縁膜７および側壁８によって囲まれた空間により、１画素を構成する空間９が形成されている。空間９内には銅、アルミニウムなどからなる移動電極１０が表裏方向に移動可能に設けられている。移動電極１０の表面側透明板１と対向する側の面には例えばシリコーンゴムなどの弾性体からなる弾性層１１が設けられている。ここでは、弾性層１１は黒色であるとして説明する。
【００１１】
移動電極１０および弾性層１１の平面サイズは空間９の平面サイズよりもやや小さくなっており、移動電極１０および弾性層１１の周囲面と側壁８の内面との間には隙間１２が設けられている。隙間１２は、移動電極１０および弾性層１１の表裏方向への移動をスムーズにするとともに、空間９内に封入された空気の移動を許容するためのものである。
【００１２】
そして、後で説明するように、図１に示す状態では白色表示となるが、裏面側電極板６と移動電極１０間に電圧が印加された状態にあり、裏面側電極板６と移動電極１０とには印加された電圧に対応する正負の電荷がそれぞれ誘導され、両極板の間に発生するクーロン力による引力により、移動電極１０が弾性層１１と共に裏面側に向かって移動し、移動電極１０の下面が裏面側（透明）板２上の絶縁膜７の上面に当接された状態となっている。
【００１３】
次に、この表示装置の表示切り替え動作について説明する。図１に示す状態において、裏面側電極板６と移動電極１０間への電圧の印加を停止し、表面側電極板４と移動電極１０間に電圧が印加されると、表面側電極板４と移動電極１０とには印加された電圧に対応する正負の電荷がそれぞれ誘導され、両極板の間に発生するクーロン力による引力により、移動電極１０が弾性層１１と共に表面側に向かって移動し、図２に示すように、弾性層１１の表面側が表面側透明板１の凸凹面（作用面）３に適宜に弾性変形して押し付けられている状態となる。
【００１４】
逆に、図２に示す状態において、表面側電極板４および移動電極１０への電圧の印加を停止し、裏面側電極板６と移動電極１０間に電圧が印加されると、裏面側電極板６と移動電極１０とには印加された電圧に対応する正負の電荷がそれぞれ誘導され、両極板の間に発生するクーロン力による引力により、移動電極１０が弾性層１１と共に裏面側に向かって移動し、図１に示すように、移動電極１０の下面が裏面側（透明）板２上の絶縁膜７の上面に当接する状態に戻る。
【００１５】
次に、図１および図２にそれぞれ示す状態における表示状態について説明すると、図１に示す状態では、表面側透明板１の表面側から入射された外光が絶縁膜５、表面側電極板４および表面側透明板１を透過して表面側透明板１と空気との界面（凸凹面（作用面）３）で散乱反射され、この散乱反射光が上記とは逆の光路を経て表面側透明板１の表面側に出射され、白色表示となる。
【００１６】
一方、図２に示す状態では、表面側透明板１の凸凹面（作用面）３に弾性層１１の表面側が押し付けられているため、表面側透明板１と空気との界面での散乱反射は起こらず、表面側透明板１の表面側から入射された外光が絶縁膜５、表面側電極板４および表面側透明板１を透過して黒色の弾性層１１で吸収され、黒色表示となる。
【００１７】
以上のように、この表示装置では、表面側透明板１の凸凹面（作用面）３に弾性層１１が押し付けられていないとき、凸凹面（作用面）３で光を散乱反射させることにより、白色表示を行ない、凸凹面（作用面）３に弾性層１１が押し付けられているとき、散乱は起こらず、黒色表示を行なうので、１画素を構成する空間９内に弾性層１１を移動電極１０と共に表裏方向に移動可能に設ければよく、表示を行なうための移動物体として着色液体を用いて、空間９内に着色液体を適切な量注入しなければならない特許文献１の場合と比較して、比較的容易に製造することができる。
【００１８】
（第２実施形態）
図３はこの発明の第２実施形態としての表示装置の１画素部分の白色表示状態を示す断面図である。この表示装置において、図１に示す表示装置と異なる点は、裏面側（透明）板２の内面に裏面側電極板６および絶縁膜７を設けずに、その代わりに、裏面側（透明）板２と移動電極１０との間に複数の圧縮コイルスプリング（弾性部材）１３を設けた点である。
【００１９】
そして、図３に示す白色表示状態では、表面側電極板４と移動電極１０間の電圧が０の状態であり、圧縮コイルスプリング１３は、移動電極１０を含む弾性層１１が表面側透明板１の凸凹面（作用面）３から裏面側にある程度離れた位置で平衡となっている。
【００２０】
次に、この表示装置の表示切り替え動作について説明する。図３に示す状態において、表面側電極板４と移動電極１０間に電圧が印加されると、表面側電極板４と移動電極１０とには印加された電圧に対応する正負の電荷がそれぞれ誘導され、両極板の間にクーロン力による引力が発生する。すると、移動電極１０は弾性層１１と共に圧縮コイルスプリング１３の力に抗して表面側に向かって移動し、図４に示すように、弾性層１１の表面側が表面側透明板１の凸凹面（作用面）３に適宜に弾性変形して押し付けられている状態となる。この状態では、図２に示す場合と同様に、黒色表示となる。
【００２１】
一方、図４に示す状態において、表面側電極板４と移動電極１０間へ印加する電圧を０とすると、表面側電極板４と移動電極１０との間に発生していたクーロン力による引力が消失する。すると、移動電極１０は弾性層１１と共に圧縮コイルスプリング１３の力により裏面側に向かって移動し、図３に示すように、弾性層１１が表面側透明板１の凸凹面（作用面）３から裏面側にある程度離れた位置で平衡状態となる。この状態では、図１に示す場合と同様に、白色表示となる。
【００２２】
（第３実施形態）
図５はこの発明の第３実施形態としての表示装置の１画素部分の黒色表示状態を示す断面図である。この表示装置において、図２に示す表示装置と異なる点は、表面側透明板１の外面に表面側電極板４および絶縁膜５を設けずに、その代わりに、裏面側の絶縁膜７と移動電極１０との間に複数の圧縮コイルスプリング（弾性部材）１３を設けた点である。
【００２３】
そして、図５に示す黒色表示状態では、裏面側電極板６と移動電極１０間の電圧が０の状態であり、移動電極１０が弾性層１１と共に圧縮コイルスプリング１３の力により表面側に向かって付勢されていることにより、弾性層１１の表面側が表面側透明板１の凸凹面（作用面）３に適宜に弾性変形して押し付けられている。
【００２４】
次に、この表示装置の表示切り替え動作について説明する。図５に示す状態において、裏面側電極板６と移動電極１０間に電圧が印加されると、裏面側電極板６と移動電極１０とには印加した電圧に対応する正負の電荷がそれぞれ誘導され、両極板の間にクーロン力による引力が発生する。すると、移動電極１０は弾性層１１と共に圧縮コイルスプリング１３の力に抗して裏面側に向かって移動し、図６に示すように、弾性層１１が表面側透明板１の凸凹面（作用面）３から裏面側にある程度離れた位置で平衡状態となる。この状態では、図１に示す場合と同様に、白色表示となる。
【００２５】
一方、図６に示す状態において、裏面側電極板６と移動電極１０間へ印加する電圧を０とすると、裏面側電極板６と移動電極１０との間に発生していたクーロン力による引力が消失する。すると、移動電極１０は弾性層１１と共に圧縮コイルスプリング１３の力により表面側に向かって移動し、図５に示すように、弾性層１１の表面側が表面側透明板１の凸凹面（作用面）３に適宜に弾性変形して押し付けられている状態となる。この状態では、図２に示す場合と同様に、黒色表示となる。
【００２６】
ところで、図２に示す黒色表示状態において、表面側電極板４および移動電極１０への電圧の印加を停止し、表面側電極板４および移動電極１０が電気的にはどことも接続されないオープン状態に適切にできれば、表面側電極板４と移動電極１０とに誘導されていた正負の電荷がそれぞれ保持され、両極板の間に発生していたクーロン力による引力は消失しないが、上記オープン状態への切り替えの仕方や電荷のリーク等により、クーロン力による引力が消失しやすいので、弾性層１１の表面側を表面側基板１の凸凹面（作用面）３に適宜に弾性変形させて押し付けられた状態を維持することができず、弾性層１１を含む移動電極１０が裏面側に向かって勝手に移動し、黒色表示状態がくずれてしまう現象が起こる。
【００２７】
また、図４に示す黒色表示状態において、表面側電極板４と移動電極１０間へ印加する電圧を０とするのではなく、表面側電極板４および移動電極１０への電圧の印加を停止し、表面側電極板４および移動電極１０が電気的にはどことも接続されないオープン状態に適切にできれば、表面側電極板４と移動電極１０とに誘導されていた正負の電荷がそれぞれ保持され、両極板の間に発生していたクーロン力による引力は消失しないが、上記オープン状態への切り替えの仕方や電荷のリーク等により、クーロン力による引力が消失しやすいので、移動電極１０が弾性層１１と共に圧縮コイルスプリング１３の力により裏面側に向かって移動し、図３に示す白色表示状態となり、黒色表示状態がくずれてしまう現象が起こる。
【００２８】
また、図６に示す白色表示状態において、裏面側電極板６と移動電極１０間へ印加する電圧を０とするのではなく、裏面側電極板６および移動電極１０への電圧の印加を停止し、裏面側電極板６および移動電極１０が電気的にはどことも接続されないオープン状態に適切にできれば、裏面側電極板６と移動電極１０とに誘導されていた正負の電荷がそれぞれ保持され、両極板の間に発生していたクーロン力による引力は消失しないが、上記オープン状態への切り替えの仕方や電荷のリーク等により、クーロン力による引力が消失しやすいので、移動電極１０が弾性層１１と共に圧縮コイルスプリング１３の力により表面側に向かって移動し、図５に示す黒色表示状態となり、白色表示状態がくずれてしまう現象が起こる。
そこで、次に、所定の電圧の印加を停止しても、所定の表示状態を確実に維持することができる表示装置について説明する。
【００２９】
（第４実施形態）
図７はこの発明の第４実施形態としての表示装置の１画素部分の白色表示状態を示す断面図である。この表示装置において、図１に示す表示装置と異なる点は、移動電極１０の裏面の相対向する２辺部に摺動部材支持部材１４を設け、摺動部材支持部材１４の外面に設けられた断面が半円形状の凹部内に円柱形状の摺動部材１５を取り付け、摺動部材１５と側壁８の内面との間に適度の摩擦を持たせた点である。
【００３０】
そして、この表示装置では、図７に示すように、裏面側電極板６と移動電極１０との間に発生させるクーロン力による引力（摺動部材１５と側壁８の内面との間の摩擦力に打ち勝つ程度の引力）により、弾性層１１、摺動部材支持部材１４および摺動部材１５を含む移動電極１０が裏面側に向かって移動し、摺動部材支持部材１４の下面が裏面側（透明）板２上の絶縁膜７の上面に当接して、白色表示に切り換えた後には、裏面側電極板６と移動電極１０間への電圧の印加を停止しても、摺動部材１５と側壁８の内面との間の摩擦力により、摺動部材支持部材１４の下面が裏面側（透明）板２上の絶縁膜７の上面に当接した状態を確実に維持することができる。
【００３１】
一方、図８に示すように、表面側電極板４と移動電極１０との間に発生させるクーロン力による引力（摺動部材１５と側壁８の内面との間の摩擦力に打ち勝つ程度の引力）により、弾性層１１、摺動部材支持部材１４および摺動部材１５を含む移動電極１０が表面側に向かって移動し、弾性層１１の表面側が表面側透明板１の凸凹面（作用面）３に適宜に弾性変形して押し付けられて、黒色表示に切り換えた後には、表面側電極板４と移動電極１０間への電圧の印加を停止しても、摺動部材１５と側壁８の内面との間の摩擦力により、弾性層１１の表面側が表面側透明板１の凸凹面（作用面）３に適宜に弾性変形して押し付けられた状態を確実に維持することができる。
したがって、この表示装置では、表示内容を変えない限りは電力を加える必要はなく、非常に低消費電力化することができる。
【００３２】
（第５実施形態）
図９はこの発明の第５実施形態としての表示装置の１画素部分の白色表示状態を示す断面図である。この表示装置において、図１に示す表示装置と異なる点は、側壁８の表面側の相対向する２箇所および裏面側の相対向する２箇所に表面側永久磁石１６および裏面側永久磁石１７を設け、移動電極１０の下面の相対向する周囲部に鉄などからなる磁性部材１８を設けた点である。
【００３３】
そして、この表示装置では、図９に示すように、裏面側電極板６と移動電極１０との間に発生させるクーロン力による引力（表面側永久磁石１６と磁性部材１８との間に発生する磁力による引力に打ち勝つ程度の引力）により、弾性層１１および磁性部材１８を含む移動電極１０が裏面側に向かって移動し、磁性部材１８の下面が裏面側（透明）板２上の絶縁膜７の上面に当接して、白色表示に切り換えた後には、裏面側電極板６と移動電極１０間への電圧の印加を停止しても、互いに対向する位置に位置する裏面側永久磁石１７と磁性部材１８との間に発生する磁力による引力により、磁性部材１８の下面が裏面側（透明）板２上の絶縁膜７の上面に当接した状態を確実に維持することができる。
【００３４】
一方、図１０に示すように、表面側電極板４と移動電極１０との間に発生させるクーロン力による引力（裏面側永久磁石１７と磁性部材１８との間に発生する磁力による引力に打ち勝つ程度の引力）により、弾性層１１および磁性部材１８を含む移動電極１０が表面側に向かって移動し、弾性層１１が表面側透明板１の凸凹面（作用面）３に適宜に弾性変形して押し付けられて、黒色表示に切り換えた後には、表面側電極板４と移動電極１０間への電圧の印加を停止しても、互いに対向する位置に位置する表面側永久磁石１６と磁性部材１８との間に発生する磁力による引力により、弾性層１１の表面側が表面側透明板１の凸凹面（作用面）３に適宜に弾性変形して押し付けられた状態を確実に維持することができる。
【００３５】
したがって、この表示装置でも、表示内容を変えない限りは電力を加える必要はなく、非常に低消費電力化することができる。なお、側壁８の表面側の相対向する２箇所および裏面側の相対向する２箇所に鉄などからなる表面側磁性部材および裏面側磁性部材を設け、移動電極１０の下面の相対向する周囲部に永久磁石を設けるようにしてもよい。
また、上記実施形態では永久磁石を用いる構成で説明したが、磁力を発生させるものであれば、電磁石等のものであってもよい。
【００３６】
（第６実施形態）
図１１はこの発明の第６実施形態としての表示装置の１画素部分の白色表示状態を示す断面図である。この表示装置において、図１に示す表示装置と異なる点は、側壁８の内面の表面側の相対向する２箇所および裏面側の相対向する２箇所に表面側親水膜１９および裏面側親水膜２０を設け、表面側親水膜１９および裏面側親水膜２０の各表面に表面側水膜２１および裏面側水膜２２を付着させ、移動電極１０の下面に設けられた移動体支持板２３の周囲面の相対向する２箇所に移動体親水膜２４を設けた点である。この場合、側壁８の内面の表面側親水膜１９および裏面側親水膜２０が設けられた部分以外は疎水面となっている。
【００３７】
そして、この表示装置では、図１１に示すように、裏面側電極板６と移動電極１０との間に発生させるクーロン力による引力（表面側親水膜１９と移動体親水膜２４との間に介在された表面側水膜２１の凝集力に打ち勝つ程度の引力）により、弾性層１１、移動体支持板２３および移動体親水膜２４を含む移動電極１０が裏面側に向かって移動し、移動体支持板２３の下面が裏面側（透明）板２上の絶縁膜７の上面に当接して、白色表示に切り換えた後には、裏面側電極板６と移動電極１０間への電圧の印加を停止しても、互いに対向するように位置する裏面側親水膜２０と移動体親水膜２４との間に介在された裏面側水膜２２の凝集力（水の凝集力は一般的に小さいが、ナノメートル、マイクロメートルの世界では比較的大きい）により、移動体支持板２３の下面が裏面側（透明）板２上の絶縁膜７の上面に当接した状態を確実に維持することができる。
【００３８】
一方、図１２に示すように、表面側電極板４と移動電極１０との間に発生させるクーロン力による引力（裏面側親水膜２０と移動体親水膜２４との間に介在された裏面側水膜２２の凝集力に打ち勝つ程度の引力）により、弾性層１１、移動体支持板２３および移動体親水膜２４を含む移動電極１０が表面側に向かって移動し、弾性層１１の表面側が表面側透明板１の凸凹面（作用面）３に適宜に弾性変形して押し付けられて、黒色表示に切り換えた後には、表面側電極板４と移動電極１０間への電圧の印加を停止しても、互いに対向するように位置する表面側親水膜１９と移動体親水膜２４との間に介在された表面側水膜２１の凝集力により、弾性層１１の表面側が表面側透明板１の凸凹面（作用面）３に適宜に弾性変形して押し付けられた状態を確実に維持することができる。
したがって、この表示装置でも、表示内容を変えない限りは電力を加える必要はなく、非常に低消費電力化することができる。
【００３９】
上記第６実施形態では、側壁８の内面の表面側の相対向する２箇所および裏面側の相対向する２箇所に表面側親水膜１９および裏面側親水膜２０を設け、側壁８の内面の表面側親水膜１９および裏面側親水膜２０が設けられた部分以外は疎水面とし、移動電極１０の下面に設けられた移動体支持板２３の周囲面の相対向する２箇所に移動体親水膜２４を設け、表面側親水膜１９および裏面側親水膜２０の各表面に表面側水膜２１および裏面側水膜２２を付着させるようにしたが、逆に、表面側親水膜１９および裏面側親水膜２０の代わりに、それぞれ表面側親油膜および裏面側親油膜を設け、側壁８の内面の表面側親油膜および裏面側親油膜が設けられた部分以外は親水面とし、表面側水膜２１および裏面側水膜２２の代わりに表面側油膜および裏面側油膜を付着させる構成にしてもよい。
【００４０】
（その他の実施形態）
図１、図７、図９および図１１に示す白色表示状態から図２、図８、図１０および図１２に示す黒色表示状態に切り換えるとき、表面側電極板４と移動電極１０間に電圧を印加し、表面側電極板４と移動電極１０間にクーロン力による引力を発生させるとともに、移動電極１０に印加した電圧により誘導される電荷と同符号の電荷が裏面側電極板６に誘導されるように、表面側電極板４と裏面側電極板６間にも表面側電極板４と移動電極１０間と同極性の電圧を印加し、裏面側電極板６と移動電極１０との間にクーロン力による斥力を発生させるようにしてもよい。
【００４１】
また、図２、図８、図１０および図１２に示す黒色表示状態から図１、図７、図９および図１１に示す白色表示状態に切り換えるとき、裏面側電極板６と移動電極１０間に電圧を印加し、裏面側電極板６と移動電極１０間にクーロン力による引力を発生させるとともに、移動電極１０に印加した電圧により誘導される電荷と同符号の電荷が表面側電極板４に誘導されるように、裏面側電極板６と表面側電極板４間にも裏面側電極板６と移動電極１０間と同極性の電圧を印加し、表面側電極板４と移動電極１０との間にクーロン力による斥力を発生させるようにしてもよい。
【００４２】
また、図１、図２および図７〜図１２に示す表示装置において、裏面側電極板６（と絶縁膜７）を省略し、表面側電極板４と移動電極１０に同符号の電荷が誘導されるように、基準となる電位（例えばＧＮＤ）に対して、表面側電極板４と移動電極１０にそれぞれ同極性の電圧を印加し、表面側電極板４と移動電極１０との間にクーロン力による斥力を発生させると、図１、図７、図９および図１１に示すような白色表示状態となり、一方、表面側電極板４と移動電極１０間に電圧を印加し、表面側電極板４と移動電極１０との間にクーロン力による引力を発生させると、図２、図８、図１０および図１２に示すような黒色表示状態となるようにしてもよい。
【００４３】
また、図１、図２および図７〜図１２に示す表示装置において、表面側電極板４（と絶縁膜５）を省略し、裏面側電極板６と移動電極１０間に電圧を印加し、裏面側電極板６と移動電極１０との間にクーロン力による引力を発生させると、図１、図７、図９および図１１に示すような白色表示状態となり、一方、裏面側電極板６と移動電極１０に同符号の電荷が誘導されるように、基準となる電位（例えばＧＮＤ）に対して、裏面側電極板６と移動電極１０にそれぞれ同極性の電圧を印加し、裏面側電極板６と移動電極１０との間にクーロン力による斥力を発生させると、図２、図８、図１０および図１２に示すような黒色表示状態となるようにしてもよい。
【００４４】
また、図３、図４に示す表示装置において、裏面側（透明）基板２の内面に裏面側電極板６と絶縁膜７を設け、図３に示す白色表示状態から図４に示す黒色表示状態に切り換えるとき、表面側電極板４と移動電極１０間に電圧を印加し、表面側電極板４と移動電極１０間にクーロン力による引力を発生させるとともに、移動電極１０に印加した電圧により誘導される電荷と同符号の電荷が裏面側電極板６に誘導されるように、表面側電極板４と裏面側電極板６間にも表面側電極板４と移動電極１０間と同極性の電圧を印加し、裏面側電極板６と移動電極１０との間にクーロン力による斥力を発生させるようにしてもよい。
【００４５】
また、図３、図４に示す表示装置において、表面側電極板４（と絶縁膜５）を省略し、裏面側（透明）基板２の内面に裏面側電極板６を設け、裏面側電極板６と移動電極１０に同符号の電荷が誘導されるように、基準となる電位（例えばＧＮＤ）に対して、裏面側電極板６と移動電極１０にそれぞれ同極性の電圧を印加し、裏面側電極板６と移動電極１０との間にクーロン力による斥力を発生させると、図４に示すような黒色表示状態となるようにしてもよい。
【００４６】
また、図５、図６に示す表示装置において、表面側透明基板１の外面に表面側電極板４（と絶縁膜５）を設け、図５に示す黒色表示状態から図６に示す白色表示状態に切り換えるとき、裏面側電極板６と移動電極１０間に電圧を印加し、裏面側電極板６と移動電極１０間にクーロン力による引力を発生させるとともに、移動電極１０に印加した電圧により誘導される電荷と同符号の電荷が表面側電極板４に誘導されるように、裏面側電極板６と表面側電極板４にも裏面側電極板６と移動電極１０間と同極性の電圧を印加し、表面側電極板４と移動電極１０との間にクーロン力による斥力を発生させるようにしてもよい。
【００４７】
また、図５、図６に示す表示装置において、裏面側電極板６（と絶縁膜７）を省略し、表面側透明基板１の外面に表面側電極板４（と絶縁膜５）を設け、表面側電極板４と移動電極１０に同符号の電荷が誘導されるように、基準となる電位（例えばＧＮＤ）に対して、表面側電極板４と移動電極１０にそれぞれ同極性の電圧を印加し、表面側電極板４と移動電極１０との間にクーロン力による斥力を発生させると、図６に示すような白色表示状態となるようにしてもよい。
【００４８】
また、上記第４〜第６実施形態では、表示維持の状態において、全ての電極板４、６、１０への電圧の印加を停止（オープンに）するとして説明したが、全ての電極板４、６、１０を同電位、例えば０Ｖ（ＧＮＤ）にしてクーロン力が発生しないようにしてもよい。この場合も、停止（オープンに）する場合と同様に、電力は消費しない。
【００４９】
さらに、上記各実施形態では、弾性層１１は黒色であるとして説明したが、これに限らず、それ以外の青色、赤色などの他色のものを用いてもよい。例えば、シリコーンゴムの場合は、成形時に配合する顔料により、色を変えることが可能である。あるいは、それ自体に色が付いていない弾性体を着色して用いてもよい。
【００５０】
また、弾性層１１を無色透明とし、弾性層１１と移動電極１０との間に黒色、青色、赤色などの有色層を設けるようにしてもよい。この場合、表面側透明板１の凸凹面（作用面）３に弾性層１１が押し付けられていないときは、散乱反射により白色表示となり、表面側透明板１の凸凹面（作用面）３に弾性層１１が押し付けられているときは、散乱反射は起こらず、弾性層１１と移動電極１０との間に設けられた有色層の色による有色表示となる。
【００５１】
さらに、上記各実施形態では、移動電極と弾性層は別体として説明したが、移動電極が例えば、網状のもので、弾性層と一体になっているようなもの、あるいは、導電性微粒子が弾性層に含まれているようなもので、電圧が印加可能なようになっている機能弾性体であってもよい。
【図面の簡単な説明】
【００５２】
【図１】この発明の第１実施形態としての表示装置の１画素部分の白色表示状態を示す断面図。
【図２】図１に示す表示装置の黒色表示状態を示す断面図。
【図３】この発明の第２実施形態としての表示装置の１画素部分の白色表示状態を示す断面図。
【図４】図３に示す表示装置の黒色表示状態を示す断面図。
【図５】この発明の第３実施形態としての表示装置の１画素部分の黒色表示状態を示す断面図。
【図６】図５に示す表示装置の白色表示状態を示す断面図。
【図７】この発明の第４実施形態としての表示装置の１画素部分の白色表示状態を示す断面図。
【図８】図７に示す表示装置の黒色表示状態を示す断面図。
【図９】この発明の第５実施形態としての表示装置の１画素部分の白色表示状態を示す断面図。
【図１０】図９に示す表示装置の黒色表示状態を示す断面図。
【図１１】この発明の第６実施形態としての表示装置の１画素部分の白色表示状態を示す断面図。
【図１２】図１１に示す表示装置の黒色表示状態を示す断面図。
【符号の説明】
【００５３】
１  表面側透明板（基板）
２  裏面側（透明）板（基板）
３  凸凹面（作用面）
４  表面側電極板
５  絶縁膜（保護膜）
６  裏面側電極板
７  絶縁膜（保護膜）
８  側壁
９  空間
１０  移動電極
１１  弾性層
１２  隙間
１３  圧縮コイルスプリング（弾性部材）
１４  摺動部材支持部材
１５  摺動部材
１６  表面側永久磁石
１７  裏面側永久磁石
１８  磁性部材
１９  表面側親水膜
２０  裏面側親水膜
２１  表面側水膜
２２  裏面側水膜
２３  移動体支持板
２４  移動体親水膜
【図１】
2006317667.tif 000003
【図２】
2006317667.tif 000004
【図３】
2006317667.tif 000005
【図４】
2006317667.tif 000006
【図５】
2006317667.tif 000007
【図６】
2006317667.tif 000008
【図７】
2006317667.tif 000009
【図８】
2006317667.tif 000010
【図９】
2006317667.tif 000011
【図１０】
2006317667.tif 000012
【図１１】
2006317667.tif 000013
【図１２】
2006317667.tif 000014